(57)【要約】【課題】  電子レンジのマイクロ波で発熱する発熱容器を火傷なく容易に持ち運びできるようにする。【解決手段】  被加熱物を入れるためのマイクロ波で発熱する内側容器１と内側容器１の外側を覆うように重ね合わせる外側容器３とで構成し、内側容器１の上端外縁に張出片１ａを形成し、外側容器３の上端内縁に内側容器１の張出片１ａを掛止する段部３ｂを形成し、外側容器３を内側容器１より深底にして重ね合わせ時に容器間に空間Ａを形成できるようにし、外側容器３の下面に高台３ｄを形成し、外側容器３の下面に通気孔３ｅを形成し、加熱後に熱せられた空間Ａの空気を通気孔３ｅから放出させて外側容器３の冷却性を高めるようにした。【選択図】図１
2007075251.tif 000002
【特許請求の範囲】
【請求項１】
被加熱物を電子レンジで加熱する際に用いる電子レンジ加熱用容器であって、被加熱物を入れるためのマイクロ波加熱で発熱する内側容器と内側容器の外側を覆うように重ね合わせる外側容器とで構成し、内側容器の上端外縁に張出片を形成し、外側容器の上端内縁に内側容器の張出片を掛止する段部を形成し、外側容器を内側容器より深底にして重ね合わせ時に容器間に空間を形成できるようにし、外側容器の下面に高台を形成し、外側容器の下面に通気孔を形成し、加熱後に熱せられた空間の空気を通気孔から放出させて外側容器の冷却性を高めるようにしたことを特徴とする、電子レンジ加熱用容器。
【請求項２】
外側容器の段部に複数の凹凸を形成し、容器の重ね合わせ時に内側容器の張出片と外側容器の段部との間に通気用の隙間を形成できるようにした、請求項１記載の電子レンジ加熱用容器。
【発明の詳細な説明】
【技術分野】
【０００１】
本発明は、電子レンジのマイクロ波で発熱する発熱容器を火傷なく容易に持ち運びできるようにする技術に関する。
【背景技術】
【０００２】
従来、電子レンジで被加熱物を加熱する際に用いられる発熱容器が特許文献１で開示されている。この技術は、アルミニウム容器の外面にフェライト皮膜が形成されており、フェライト皮膜がマイクロ波によって発熱して中の被加熱物を加熱するものである。この発熱容器は、フェライト皮膜の膜厚に応じておよそ２００〜３００℃まで発熱させることが可能であり、中の被加熱物を短時間に効率良く加熱させることができる。
【０００３】
ところで、前記技術では発熱容器が極めて高温になるから、加熱後は時間をおいて冷却しないと持ち運びできなかった。そこで、発熱容器の外側を覆うように間隔をおいた状態で重ねる外側容器を設け、容器間の空気層で断熱して外側容器に直接伝熱され難くし、保温性を維持しながら加熱後の持ち運びを容易にできるようにした二重構造の加熱用容器が提案されている。
【０００４】
しかしながら、前記技術では空気層がほぼ密閉された空間に形成されており、空気層の熱が外側容器に伝熱して加熱されてしまい、直接手を触れることはできず火傷の危険が依然あった。また、空気層により保温性が高まるから外側容器の放熱も遅く、持ち運びに時間を要していた。
【特許文献１】特公平７−４３１２号公報
【発明の開示】
【発明が解決しようとする課題】
【０００５】
本発明が解決しようとする課題は、従来のこれらの問題点を解消し、加熱後早期に持ち運びできる冷却性に優れた電子レンジ加熱用容器を提供することにある。
【課題を解決するための手段】
【０００６】
かかる課題を解決した本発明の構成は、
１）  被加熱物を電子レンジで加熱する際に用いる電子レンジ加熱用容器であって、被加熱物を入れるためのマイクロ波加熱で発熱する内側容器と内側容器の外側を覆うように重ね合わせる外側容器とで構成し、内側容器の上端外縁に張出片を形成し、外側容器の上端内縁に内側容器の張出片を掛止する段部を形成し、外側容器を内側容器より深底にして重ね合わせ時に容器間に空間を形成できるようにし、外側容器の下面に高台を形成し、外側容器の下面に通気孔を形成し、加熱後に熱せられた空間の空気を通気孔から放出させて外側容器の冷却性を高めるようにしたことを特徴とする、電子レンジ加熱用容器
２）  外側容器の段部に複数の凹凸を形成し、容器の重ね合わせ時に内側容器の張出片と外側容器の段部との間に通気用の隙間を形成できるようにした、前記１）記載の電子レンジ加熱用容器。
にある。
【発明の効果】
【０００７】
本発明によれば、外側容器の底部の通気孔から空間の熱せられた空気が排気されて冷却性が高まり、時間を経過させずに外側容器を把持して早期に持ち運びできるようになる。
【発明を実施するための最良の形態】
【０００８】
本発明では、外側容器の段部に複数の凹凸を形成し、重ね合わせ時に内側容器の張出片と外側容器の段部との間に通気用の隙間を形成し、容器同士の接触面積を減少させて伝熱を低減するとともに、容器間の加熱された空気を隙間から放出させて冷却性をより高めるようにするのが望ましい。以下、本発明の各実施例を図面に基づいて具体的に説明する。
【実施例１】
【０００９】
図１，２に示す実施例１は、本発明の電子レンジ加熱用容器を鍋に適用した例である。図１は実施例１の電子レンジ加熱用容器の縦断面図、図２は実施例１の外側容器の底面図である。図中、１は内側容器、１ａは張出片、１ｂは段部、２は蓋、２ａは取っ手、２ｂは放出孔、２ｃは栓、３は外側容器、３ａは取っ手、３ｂは段部、３ｃは突起、３ｄは高台、３ｅは通気孔、Ａは空間である。
【００１０】
実施例１では、内側容器１は電子レンジで加熱調理ができる公知の電子レンジ用鍋であり、上端外縁に張出片１ａが形成され、内側に蓋２を掛止する段部１ｂが形成され、蓋２は上面に取っ手２ａを備えるとともに、一部を穿孔して蒸気を放出する放出孔２ｂが形成され、放出孔２ｂを閉塞する栓２ｃを脱着自在に備えている。
【００１１】
外側容器３は陶器からなり、上端外縁に持ち運び用の取っ手３ａが形成され、内壁に内側容器１の張出片１ａを掛止する段部３ｂが形成され、段部３ｂに円柱状の複数の突起３ｃが所定間隔おいて形成され、下面には外側容器３を浮設する高台３ｄが部分的に形成され、高台３ｄで囲まれた底面を開口して通気孔３ｅが形成されている。外側容器３は内側容器１より深底にし、内側容器１を外側容器３に重ねた際、空間Ａが形成されるようにしている。
【００１２】
この内側容器１に被加熱物（例えばすき焼きの材料など）を入れて蓋２で閉塞し、外側容器３に重ねる。内側容器１の張出片１ａは外側容器３の段部３ｂの突起３ｃ上に載置する。これを電子レンジ内に収容してスイッチを入れ、マイクロ波が放射されて外側容器３を透過して内側容器１が誘電加熱されて発熱し、被加熱物が加熱される。
【００１３】
内側容器１の発熱した熱は空間Ａの空気を加熱する。ここで、従来ではこの空間Ａを断熱層として作用させ、加熱処理後は加熱された空気で内側容器１の保温性を高めていたから、外側容器３も伝熱して直接手で触れることができない程に熱くなり、持ち運びも手袋等が必要であった。また、食する際も手や腕が外側容器３に触れて火傷の危険があった。
【００１４】
しかし、実施例１では熱せられた空間Ａの空気は突起３ｃで形成された張出片１ａと段部３ｂとの間の隙間及び通気孔３ｅを通じて放出され、外側容器３を早期に冷却する。電子レンジから取り出す際は加熱時間により手袋が必要な場合もあるが、食する際は十分に冷却されており、手や腕が触れても火傷することがない。また、内側容器１の発熱により、加熱後の被加熱物の保温性も良好である。
【実施例２】
【００１５】
図３に示す実施例２は、本発明の電子レンジ加熱用容器をポットに適用した例である。図３は実施例２の電子レンジ加熱用容器の縦断面図である。図中、４は内側容器、４ａは張出片、４ｂは段部、４ｃは注ぎ口、５は蓋、５ａは取っ手、６は外側容器、６ａは取っ手、６ｂは段部、６ｃは凹所、６ｄは高台、６ｅは通気孔、Ａは空間である。
【００１６】
実施例２では、内側容器４は電子レンジで加熱できる公知の電子レンジ用ポットであり、上端外縁に張出片４ａが形成され、内壁に蓋５を掛止する段部４ｂが形成され、張出片４ａの一部を外方に延設して被加熱物を注ぐ注ぎ口４ｃが形成され、蓋５は上面に取っ手５ａを備えている。
【００１７】
外側容器６は陶器からなり、上端外縁に持ち運び用の取っ手６ａが形成され、内壁に内側容器４の張出片４ａを掛止する段部６ｂが形成され、段部６ｂに長方形の複数の凹所６ｃが所定間隔おいて形成され、下面には外側容器６を浮設する高台６ｄが部分的に形成され、高台６ｄで囲まれた底面を開口して通気孔６ｅが形成されている。外側容器６は内側容器４より深底にし、内側容器４を外側容器６に重ねた際、空間Ａが形成されるようにしている。
【００１８】
この内側容器４に被加熱物（例えば紅茶やコーヒーなど）を入れて蓋５で閉塞し、外側容器６に重ねる。内側容器４の張出片４ａは外側容器６の段部６ｂ上に載置する。これを電子レンジ内に収容してスイッチを入れ、マイクロ波が放射されて外側容器６を透過して内側容器４が誘電加熱されて発熱し、被加熱物が加熱される。
【００１９】
実施例２は実施例１と同じように、熱せられた空間Ａの空気は凹所６ｃで形成された張出片４ａと段部６ｂとの間の隙間及び通気孔６ｅを通じて放出され、外側容器６を早期に冷却する。電子レンジから取り出す際は加熱時間により手袋が必要な場合もあるが、カップ等に注ぐ際は十分に冷却されており、手や腕が触れても火傷することがない。また、内側容器４の発熱により、加熱後の被加熱物の保温性も良好である。
【実施例３】
【００２０】
図４に示す実施例３は、本発明の電子レンジ加熱用容器を調理台に適用した例である。図４は実施例３の電子レンジ加熱用容器の縦断面図である。図中、７は内側容器、７ａは張出片、８は外側容器、８ａは取っ手、８ｂは段部、８ｃは突起、８ｄは高台、８ｅは通気孔、Ａは空間である。
【００２１】
実施例３では、内側容器７は電子レンジで加熱調理できる公知の浅底の電子レンジ用調理台であり、上端外縁に張出片７ａが形成されている。外側容器８は陶器からなり、上端外縁に持ち運び用の取っ手８ａが形成され、内壁に内側容器７の張出片７ａを掛止する段部８ｂが形成され、段部８ｂに円柱状の複数の突起８ｃが所定間隔おいて形成され、下面には外側容器８を浮設する高台８ｄが部分的に形成され、高台８ｄで囲まれた底面を開口して通気孔８ｅが形成されている。外側容器８は内側容器７より深底にし、内側容器７を外側容器８に重ねた際、空間Ａが形成されるようにしている。
【００２２】
この内側容器７に被加熱物（例えば目玉焼き用の生たまごなど）を入れて外側容器８に重ねる。内側容器７の張出片７ａは外側容器８の段部８ｂの突起８ｃ上に載置する。これを電子レンジ内に収容してスイッチを入れ、マイクロ波が放射されて外側容器８を透過して内側容器７が誘電加熱されて発熱し、目玉焼きに調理される。
【００２３】
実施例３は実施例１と同じように、熱せられた空気は突起８ｃで形成された張出片７ａと段部８ｂとの間の隙間及び通気孔８ｅを通じて放出され、外側容器８を早期に冷却する。電子レンジから取り出す際は加熱時間により手袋が必要な場合もあるが、食する際は十分に冷却されており、手や腕が触れても火傷することがない。また、内側容器７の発熱により、加熱後の被加熱物の保温性も良好である。
【産業上の利用可能性】
【００２４】
本発明の電子レンジ加熱用容器は、マイクロ波に反応して発熱する容器用として有用であるが、電子レンジで加熱・加温用として従来から使用されている常用の容器用としても応用できる。
【図面の簡単な説明】
【００２５】
【図１】実施例１の電子レンジ加熱用容器の縦断面図である。
【図２】実施例１の外側容器の底面図である。
【図３】実施例２の電子レンジ加熱用容器の縦断面図である。
【図４】実施例３の電子レンジ加熱用容器の縦断面図である。
【符号の説明】
【００２６】
１  内側容器
１ａ  張出片
１ｂ  段部
２  蓋
２ａ  取っ手
２ｂ  放出孔
２ｃ  栓
３  外側容器
３ａ  取っ手
３ｂ  段部
３ｃ  突起
３ｄ  高台
３ｅ  通気孔
４  内側容器
４ａ  張出片
４ｂ  段部
４ｃ  注ぎ口
５  蓋
５ａ  取っ手
６  外側容器
６ａ  取っ手
６ｂ  段部
６ｃ  凹所
６ｄ  高台
６ｅ  通気孔
７  内側容器
７ａ  張出片
８  外側容器
８ａ  取っ手
８ｂ  段部
８ｃ  突起
８ｄ  高台
８ｅ  通気孔
Ａ  空間
【図１】
2007075251.tif 000003
【図２】
2007075251.tif 000004
【図３】
2007075251.tif 000005
【図４】
2007075251.tif 000006